【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
一般式；
Ａa+xＭbＰ1-xＳｉxＯ4
の化合物を含む電極活物質。
前記一般式中、
（ａ）  ＡはＬｉ、Ｎａ、Ｋおよびそれらの組み合せよりなる群から選択され、０＜ａ＜１、０≦ｘ≦１であり、
（ｂ）  Ｍは高い原子価状態に酸化することが可能な最低一つの金属を含む１以上の金属を含み、０＜ｂ≦２であり、
さらにＭ、ａ、ｂおよびｘは前記化合物の電気的中性を維持するように選択される。
【請求項２】
Ｍは＋３の酸化状態の遷移金属を含む請求項１記載の電極活物質。
【請求項３】
Ｍは＋２の酸化状態の遷移金属を含む請求項１記載の電極活物質。
【請求項４】
ＭはＭc'Ｍ"dであり、Ｍ'は周期律表４から１１族の１以上の遷移金属を含み、Ｍ"は周期律表２，１２，１３あるいは１４族から選択された少なくとも一つの元素であり、ｃ＋ｄ＝ｂ、ｃ＞０およびｄ＞０である請求項１記載の電極活物質。
【請求項５】
０＜（ｃ＋ｄ）≦２である請求項４記載の電極活物質。
【請求項６】
１．０≦（ｃ＋ｄ）≦１．５である請求項５記載の電極活物質。
【請求項７】
Ｍ'は Ｔｉ，Ｖ，Ｃｒ，Ｍｎ，Ｆｅ，Ｃｏ，Ｎｉ，Ｃｕおよびそれらの組み合せよりなる群から選択された請求項４から６記載のいずれかの電極活物質。
【請求項８】
Ｍ'は Ｔｉ，Ｖ，Ｃｒ，Ｍｎ，Ｆｅ，Ｃｏ，Ｎｉ，Ｃｕおよびそれらの組み合せを含む、＋２の酸化状態の遷移金属の群より選択された請求項４から７記載のいずれかの電極活物質。
【請求項９】
Ｍ'はＴｉ，Ｖ，Ｃｒ，Ｍｎおよびそれらの組み合せを含む、＋３の酸化状態の遷移金属の群より選択された請求項４から７記載のいずれかの電極活物質。
【請求項１０】
Ｍ"はＭｇ，Ｃａ，Ｚｎ，Ｓｒ，Ｐｂ，Ｃｄ，Ｓｎ，Ｂａ，Ｂｅ，Ａｌおよびそれらの組み合せよりなる群から選択された請求項４から９記載のいずれかの電極活物質。
【請求項１１】
Ｍ"はＭｇ，Ｃａ，Ａｌ，Ｂおよびそれらの組み合せよりなる群から選択された請求項１０記載の電極活物質。
【請求項１２】
ＭはＭ1eＭ2fＭ3gであり、前記一般式中、
（ａ）Ｍ1は＋２の酸化状態の遷移金属で、ｅ＞０であり、
（ｂ）Ｍ2は＋２の酸化状態の非遷移金属で、ｆ＞０であり、
（ｃ）Ｍ3＋３の酸化状態の非遷移金属で、ｇ＞０であり、
（ｄ）ｅ＋ｆ＋ｇ＝ｂ、
である請求項１記載の電極活物質。
【請求項１３】
ａ＋２ｅ＋２ｆ＋３ｇ＝３である請求項１２記載の電極活物質。
【請求項１４】
Ｍ1はＦｅ，Ｃｏ，Ｎｉ，Ｔｉ，Ｖ，Ｃｒ，Ｍｎおよびそれらの組み合わせよりなる群から選択された請求項１２または１３記載の電極活物質。
【請求項１５】
Ｍ2はＢｅ，Ｍｇ，Ｃａ，Ｓｒ，Ｂａおよびそれらの組み合せよりなる群から選択された請求項１２から１４記載のいずれかの電極活物質。
【請求項１６】
Ｍ3はＢ，Ａｌ，Ｇａ，Ｉｎおよびそれらの組み合せよりなる群から選択された請求項１２から１５記載のいずれかの電極活物質。
【請求項１７】
０＜（ｅ＋ｆ＋ｇ）≦２である請求項１２から１６記載のいずれかの電極活物質。
【請求項１８】
０．８≦（ｅ＋ｆ＋ｇ）≦１．５である請求項１２から１７記載のいずれかの電極活物質。
【請求項１９】
１．０≦（ｅ＋ｆ＋ｇ）≦１．５である請求項１２から１８記載のいずれかの電極活物質。
【請求項２０】
０．１≦ａ≦０．９である請求項１から１９記載のいずれかの電極活物質。
【請求項２１】
ＡはＬｉである請求項１から２０記載のいずれかの電極活物質。
【請求項２２】
ＡはＮａである請求項１から２０記載のいずれかの電極活物質。
【請求項２３】
０≦ｘ≦０．５である請求項１から２２記載のいずれかの電極活物質。
【請求項２４】
ｘ＝０である請求項１から２３記載のいずれかの電極活物質。
【請求項２５】
一般式；
ＡaＭ'1+(x/2)Ｍ"(1-a)/2Ｐ1-xＳｉxＯ4
の化合物を含む電極活物質。
前記一般式中、
（ａ）  ＡはＬｉ，Ｎａ，Ｋおよびそれらの組み合せよりなる群から選択され、０＜ａ＜１．０、ｘ＝０であり、
（ｂ）  Ｍ'は１以上の＋２の酸化状態の遷移金属を含み、
（ｃ）  Ｍ"は１以上の＋２の酸化状態の非遷移金属を含み、
Ｍ'，Ｍ"，ａおよびｘは前記化合物の電気的中性を維持するように選択される。
【請求項２６】
Ｍ'はＴｉ，Ｖ，Ｃｒ，Ｍｎ，Ｃｏ，Ｆｅ，Ｎｉ，Ｃｕおよびそれらの組み合せよりなる群から選択された請求項２５記載の電極活物質。
【請求項２７】
Ｍ"はＭｇ，Ｃａ，Ｚｎ，Ｓｒ，Ｐｂ，Ｃｄ，Ｓｎ，Ｂａ，Ｂｅおよびそれらの組み合せよりなる群から選択された請求項２５または２６記載の電極活物質。
【請求項２８】
Ｍ"はＭｇ，Ｃａ，Ｚｎ，Ｂａおよびそれらの組み合せよりなる群から選択された請求項２７記載の電極活物質。
【請求項２９】
ＡはＬｉである請求項２５から２８記載のいずれかの電極活物質。
【請求項３０】
ＡはＮａである請求項２５から２８記載のいずれかの電極活物質。
【請求項３１】
一般式；
Ａa+XＭ'1+(x/2)Ｍ"(1-a)/3Ｐ1-xＳｉxＯ4
の化合物を含む電極活物質。
前記一般式中、
（ａ）  ＡはＬｉ，Ｎａ，Ｋおよびそれらの組み合せよりなる群から選択され、０＜ａ＜１．０、ｘ＝０であり、
（ｂ）  Ｍ'は高い原子価状態に酸化することが可能な最低１つの金属を含む１以上の＋２の酸化状態の遷移金属を含み、
（ｃ）  Ｍ"は１以上の＋３の酸化状態の金属を含み、
Ｍ'，Ｍ"，ａおよびｘは前記化合物の電気的中性を維持するように選択される。
【請求項３２】
Ｍ"は＋３の酸化状態の遷移金属を含む請求項３１記載の電極活物質。
【請求項３３】
Ｍ"はＴｉ，Ｖ，Ｃｒ，Ｍｎおよびそれらの組み合せよりなる群から選択された請求項３２記載の電極活物質。
【請求項３４】
Ｍ"は周期律表３から１３族より選択された＋３の酸化状態の非遷移金属である請求項３１記載の電極活物質。
【請求項３５】
Ｍ"はＳｃ，Ｙ，Ｌａ，Ｂ，Ａｌ，Ｇａ，Ｉｎ，Ｔｌおよびそれらの組み合せよりなる群から選択された請求項３４記載の電極活物質。
【請求項３６】
Ｍ"は、Ｂ，Ａｌ，Ｇａ，Ｉｎおよびそれらの組み合せよりなる群から選択された請求項３５記載の電極活物質。
【請求項３７】
Ｍ'はＴｉ，Ｖ，Ｃｒ，Ｍｎ，Ｆｅ，Ｃｏ，Ｎｉ，Ｃｕおよびそれらの組み合せよりなる群から選択された請求項３１から３６記載のいずれかの電極活物質。
【請求項３８】
Ｍ'は、さらに＋２の酸化状態の非遷移金属を含む請求項３７記載の電極活物質。
【請求項３９】
＋２の酸化状態の前記非遷移金属は、Ｍｇ，Ｃａ，Ｚｎ，Ｓｒ，Ｐｂ，Ｃｄ，Ｓｎ，Ｂａ，Ｂｅおよびそれらの組み合せよりなる群から選択された請求項３８記載の電極活物質。
【請求項４０】
＋２の酸化状態の前記非遷移金属は、Ｍｇ，Ｃａ，Ｚｎ，Ｂａおよびそれらの組み合せよりなる群から選択された請求項３９記載の電極活物質。
【請求項４１】
（ａ）  請求項１から４０記載のいずれかの活物質を含む第１の電極、
（ｂ）  前記第１の電極の対向電極である第２の電極、
（ｃ）  電解質
を含むリチウムバッテリー。
【請求項４２】
前記第１の電極はカソードであり、第２の電極はインサーションアノードである請求項４１記載のバッテリー。
【請求項４３】
インサーション物質は、金属酸化物および金属カルコゲナイドからなる群より選択される請求項４２記載のバッテリー。
【請求項４４】
第２の電極は炭素、グラファイト、コークス、メソカーボン及びそれらの組み合わせからなる群より選択されたインサーションマトリックスを含む請求項４１記載のバッテリー。
【請求項４５】
第２の電極はグラファイトを含む請求項４１記載のバッテリー。
【請求項４６】
前記電解質は炭酸ジメチル（ＤＭＣ）、炭酸ジエチル（ＤＥＣ）、炭酸ジプロピル（ＤＰＣ）、炭酸エチルメチル（ＥＭＣ）、炭酸ブチレン、γ−ブチロラクトン、トリグリム、テトラグリム、ラクトン、エステル、ジメチルスルホキシド、ジオキソラン、スルホラン及びそれらの組み合わせよりなる群から選択された溶媒を含む請求項４１から４５記載のいずれかのバッテリー。